(57)【要約】 【課題】顧客の嗜好する各種意匠の筒状化粧体を防犯用外筒体またはシリンダー固定筒に簡単に固定装着することができること。また筒状化粧体が工具で取外されても、防犯効果が絶大なシリンダー錠の構造を提供する。【解決手段】防犯用外筒体は、内端部側が扉の外壁面の取り付け孔に入り込むようにシリンダー固定筒に外挿され、また該防犯用外筒体が抜けないように筒状ヘッド部材がシリンダー固定筒の先端部に固定され、また、防犯用外筒体の被係合部と内周壁の係合部とが互いに楔状に係合するようにリング状固定板を防犯用外筒体に嵌着し、また該防犯用外筒体に付勢バネを巻装し、筒状ヘッド部材及び防犯用外筒体に嵌め込んだ状態でリング状固定板に意匠的に選択可能な筒状化粧体を固着したこと。【選択図】  図１
2005180080.tif 000002
【特許請求の範囲】
【請求項１】
シリンダーと、このシリンダーに外嵌合すると共に、基端部側が錠箱に取り付けられ、一方、先端部側が扉の外壁面の取り付け孔から突出するシリンダー固定筒と、このシリンダー固定筒と筒状化粧体との間に介在する防犯用外筒体とを備えたシリンダー錠の構造に於いて、前記防犯用外筒体は、内端部側が前記外壁面の取り付け孔に入り込むようにシリンダー固定筒に外挿され、また該防犯用外筒体が抜けないように筒状ヘッド部材が前記シリンダー固定筒の先端部に固定され、また、防犯用外筒体の被係合部と内周壁の係合部とが互いに楔状に係合するようにリング状固定板を防犯用外筒体に嵌着し、また該防犯用外筒体に付勢バネを巻装し、前記筒状ヘッド部材及び防犯用外筒体に嵌め込んだ状態で前記リング状固定板に意匠的に選択可能な筒状化粧体を固着したことを特徴とするシリンダー錠の構造。
【請求項２】
請求項１に於いて、防犯用外筒体は、内端部から先端部にかけて外周壁が傾斜面のすい台状に形成されていることを特徴とするシリンダー錠の構造。
【請求項３】
請求項１に於いて、防犯用外筒体の外周壁には、固定板の内周壁の少なくとも１つ以上の爪状係合部と係合する溝状の被係合部が形成されていることを特徴とするシリンダー錠の構造。
【請求項４】
請求項１に於いて、防犯用外筒体は、回転可能であることを特徴とするシリンダー錠の構造。
【請求項５】
請求項１に於いて、筒状ヘッド部材は、シリンダー固定筒の環状超合金キャップに添設状態に嵌合する嵌合筒と、この嵌合筒及びシリンダーの内筒にそれぞれ嵌着するキーガイド筒と、シリンダー固定筒の先端部に固定され、かつ、嵌合筒及びキーガイド筒の外周壁を全体的に包むカバー筒とから成ることを特徴とするシリンダー錠の構造。
【請求項６】
シリンダーと、このシリンダーに外嵌合すると共に、基端部側が錠箱に取り付けられ、一方、先端部側が扉の外壁面の取り付け孔から突出するシリンダー固定筒と、このシリンダー固定筒に嵌合する筒状化粧体とを備えたシリンダー錠の構造に於いて、前記シリンダー固定筒は、基端部側の傾斜状の外周壁が前記外壁面の取り付け孔に入り込むように錠箱に固定され、また該シリンダー固定筒の先端部に筒状ヘッド部材が固定され、また、シリンダー固定筒の被係合部と内周壁の係合部とが互いに楔状に係合するようにリング状固定板をシリンダー固定筒に嵌着し、また該シリンダー固定筒に付勢バネを巻装し、前記筒状ヘッド部材及びシリンダー固定筒に嵌め込んだ状態で前記リング状固定板に意匠的に選択可能な筒状化粧体を固着したことを特徴とするシリンダー錠の構造。
【請求項７】
請求項６に於いて、シリンダー固定筒は、内端部から先端部にかけて外周壁が傾斜面のすい台状に形成されていることを特徴とするシリンダー錠の構造。
【発明の詳細な説明】
【技術分野】
【０００１】
本発明は、扉外壁面から突出したシリンダー錠の構造に関する。
【背景技術】
【０００２】
普通一般にシリンダーは、化粧リング並びにシリンダー固定筒に内装され、扉の外壁面から他端部が突出するように錠箱に取り付けられている。
【０００３】
ところで、前記化粧リングは、板金加工により製作した薄板素材のすい台状の筒体で、かつ、中空部を有していることから、泥棒にとっては七つ道具の挟み部を有するプライヤー、バール、ドリルなどの工具を用いて化粧リングを変形させることが容易である。
したがって、例えば、泥棒が挟み部を有するプライヤーを用い、化粧リングとともに、シリンダー固定筒及びシリンダーを無理やり「破壊」あるいは「もぎ取る」ことが可能となる。
【０００４】
そこで、出願人は、化粧リングをこじあけ、外周壁が露出したシリンダーに大きな外力を加えることによってシリンダーがもぎ取られないように、化粧リング並びにシリンダー固定筒を改良した錠構造を提案した（特許文献１）。
【０００５】
この特許文献１に記載の錠の構造は、基本的には、「基端部が錠箱に取り付けられ、一方、他端部が扉の外壁面の取り付け孔から突出するシリンダーと、このシリンダーに外嵌合するシリンダー固定筒と、このシリンダー固定筒と筒状化粧リングとの間に介在する防犯用外筒体とから成るシリンダー錠の保護構造」であるが、この保護構造の防犯用外筒体は、内端部の端面から先端部の端面にかけて外周壁が水平線の筒状体（いわば中空パイプ）に形成されているので、泥棒が、七つ道具の一つ、特に挟み部を有するプライヤー（挟み具の類で、ここでは「工具」という。）を用い、前記直線状の外周壁を上手に捉え、シリンダーをもぎ取る可能性が依然に残っている。
【０００６】
そこで、出願人は、泥棒がシリンダーを「より一層もぎ取ることができない或いは困難な」シリンダー錠の保護構造を幾つか提案している。
【特許文献１】特開２００３−１２００８３公報
【発明の開示】
【発明が解決しようとする課題】
【０００７】
本発明は、上記のような位置付けのシリンダー錠の保護構造である。そこで、本発明の第１の目的は、顧客の嗜好する各種意匠の筒状化粧体を防犯用外筒体またはシリンダー固定筒に簡単に装着することができることである。また第２の目的は、筒状化粧体が工具で取外されても、防犯用外筒体または防犯機能を有するシリンダー固定筒が該工具に対して防犯効果を発揮することである。
【課題を解決するための手段】
【０００８】
本発明のシリンダー錠の構造は、シリンダーと、このシリンダーに外嵌合すると共に、基端部側が錠箱に取り付けられ、一方、先端部側が扉の外壁面の取り付け孔から突出するシリンダー固定筒と、このシリンダー固定筒と筒状化粧体との間に介在する防犯用外筒体とを備えたシリンダー錠の構造に於いて、前記防犯用外筒体は、内端部側が前記外壁面の取り付け孔に入り込むようにシリンダー固定筒に外挿され、また該防犯用外筒体が抜けないように筒状ヘッド部材が前記シリンダー固定筒の先端部に固定され、また、防犯用外筒体の被係合部と内周壁の係合部とが互いに楔状に係合するようにリング状固定板を防犯用外筒体に嵌着し、また該防犯用外筒体に付勢バネを巻装し、前記筒状ヘッド部材及び防犯用外筒体に嵌め込んだ状態で前記リング状固定板に意匠的に選択可能な筒状化粧体を固着したことを特徴とする。
【０００９】
上記構成に於いて、防犯用外筒体は、内端部から先端部にかけて外周壁が傾斜面のすい台状に形成されていることを特徴とする。また、防犯用外筒体の外周壁には、固定板の内周壁の少なくとも１つ以上の爪状係合部と係合する溝状の被係合部が形成されている。また防犯用外筒体は、回転可能であることを特徴とする。加えて、筒状ヘッド部材は、シリンダー固定筒の環状超合金キャップに添設状態に嵌合する嵌合筒と、この嵌合筒及びシリンダーの内筒にそれぞれ嵌着するキーガイド筒と、シリンダー固定筒の先端部に固定され、かつ、嵌合筒及びキーガイド筒の外周壁を全体的に包むカバー筒とから成ることを特徴とする。
【００１０】
また本発明のシリンダー錠の構造は、シリンダー５Ａと、このシリンダーに外嵌合すると共に、基端部側が錠箱に取り付けられ、一方、先端部側が扉の外壁面の取り付け孔から突出するシリンダー固定筒と、このシリンダー固定筒に嵌合する筒状化粧体とを備えたシリンダー錠の構造に於いて、前記シリンダー固定筒６Ａは、基端部側の傾斜状の外周壁が前記扉の外壁面１の取り付け孔２に入り込むように錠箱３に固定され、また該シリンダー固定筒６Ａの先端部６ｂに筒状ヘッド部材８Ａが固定され、また、シリンダー固定筒６Ａの被係合部２２Ａと内周壁の係合部３７Ａとが互いに楔状に係合するようにリング状固定板９Ａをシリンダー固定筒６Ａに嵌着し、また該シリンダー固定筒６Ａに付勢バネ１１を巻装し、前記筒状ヘッド部材及びシリンダー固定筒６Ａに嵌め込んだ状態で前記リング状固定板９Ａに意匠的に選択可能な筒状化粧体１０Ａを固着したことを特徴とする。
【発明の効果】
【００１１】
（１）シリンダー錠の構造を主要部にし、防犯用外筒体または防犯機能を有するシリンダー固定筒にリング状固定板を楔状に嵌合し、該リング状固定板に顧客の嗜好する各種意匠の筒状化粧体を簡単に固定装着することができる。
【００１２】
（２）筒状化粧体は、工具による暴力的破壊行為の際、防犯用外筒体とは別個に単独で離脱するので、防犯用外筒体、またはシリンダー筒には何らの支障を与えることがない。したがって、防犯用外筒体、またはシリンダー筒は、そのまま（３）に記載の防犯効果を発揮することができる。
【００１３】
（３）防犯用外筒体またはシリンダー固定筒は、根元部分に相当する内端部が扉の取り付け孔に嵌入しているので、泥棒が工具Ｔの先端部を利用して筒状化粧体（１０、１０Ａ）を除けながら、あるいは破壊して防犯用外筒体またはシリンダー筒の外周壁（２１，２１Ａ）を捉えようとしても、工具Ｔの挟み部ａ、ａは、前記外周壁を完全に捉えることができないから、容易にシリンダーを「もぎ取る」ことができない。
【発明を実施するための最良の形態】
【００１４】
以下、図１乃至図１１に示す本発明を実施するための最良の形態（第１実施例）により説明する。
【００１５】
１は扉、１ａは扉の外壁面、２は外壁面１ａの取り付け孔、３は扉１の切欠部に内装された錠箱、５はシリンダー、６はシリンダー固定筒、７は防犯用外筒体、８は筒状ヘッド部材、９はリング状の固定板、１０は筒状化粧体、１１は防犯用外筒体７と筒状化粧体１０の内部空間に内装された筒状化粧体用の付勢バネである。以下、これらの基本的な構成部材を中心に説明する。なお、錠箱３は内部に錠機構部を有し、該錠機構部は入力部材（ダルマ）を介してデッドボルトを進退させる。
【００１６】
（１）シリンダー
図１及び図８で示すように、シリンダー５は内筒５ａの表出端面にキー挿入孔１２を有している。また内筒５ａは合鍵をキー挿入孔１２に挿入操作することにより回動する。該駆動力はシリンダー５の後端から突出する駆動片１３に出力される。駆動片１３は外筒５ｂに対して回動自在である。
【００１７】
（２）シリンダー固定筒
図１で示すように、シリンダー固定筒６は、シリンダー５に外嵌合すると共に、基端部６ａ側が錠箱３に取り付けられ、一方、先端部６ｂ側が扉１の外壁面１ａの取り付け孔から突出する。図８で示すように、本実施例のシリンダー固定筒６は、その先端部６ｂに超合金の環状キャップ１４が固定的に設けられている。また、先端部６ｂに複数個の固着具用のメネジ１５が形成されている。さらに、周胴部の適宜部位には、単数又は複数個の固定ピン用の貫通小孔１６が形成されている。なお、符号１７、１７は錠箱３の嵌合孔に嵌合する取り付け用嵌合突起である。
【００１８】
（３）防犯用外筒体
防犯用外筒体７は、内端部側が扉１の外壁面１ａの取り付け孔２に入り込むようにシリンダー固定筒６に外挿されている。図６は防犯用外筒体７の平面図、図７はその断面図を示す。この防犯用外筒体７は、根元部分に相当する内端部７ａが扉１の前記取り付け孔２に嵌入し、該内端部７ａから先端部７ｂにかけて外周壁２１が傾斜面のすい台状に形成されている。本実施例では、外周壁２１に複数個の被係合部（例えばなだらかな傾斜溝）２２が先端部７ｂから内端部７ａにゆるやかな登り坂状に形成されている。これらの被係合部２２は、周方向に所要間隔を有して合計３個形成されている。これによりリング状固定板９との係合関係に於いて、防犯用外筒体７に「楔の機能」を発揮させることができる。
【００１９】
また、防犯用外筒体７の根元部分の外周面は、内端面に至るにしたがって弧状に形成されている。これにより、工具の挟み部で防犯用外筒体７自体の外周壁２１を完全に挟むことができなくなるのみならず、扉１の取り付け孔２の縁部をこじ開け、防犯用外筒体７の根元大径部分を挟むのが極めて困難になる。
【００２０】
また、防犯用外筒体７の内周壁２４には、図１で示す複数個の案内止め具２５、２５が係合する周溝２６が形成されている。したがって、防犯用外筒体７は、これらの案内止め具２５、２５によりシリンダー固定筒７からの抜き取りも阻止（係止）されていると共に、仮止め用の止めピン２７が破損した場合には回転自在となる。なお、防犯用外筒体７の適宜個所には、本発明の特定要件ではないが、防犯用外筒体７を回転しようとすると破損する前記止めピン２７用の小孔２８が形成されている。
【００２１】
（４）筒状ヘッド部材
筒状ヘッド部材８は、防犯用外筒体７が抜けないようにシリンダー固定筒６の先端部６ｂに固定されている。図３を参照にして筒状ヘッド部材８を簡単に説明する。筒状ヘッド部材８は、本実施例では３個の部品で構成されている。すなわち、３１はシリンダー固定筒６の環状超合金キャップ１４に添設状態に嵌合する嵌合筒、３２はこの嵌合筒３１及びシリンダー５の内筒５ａにそれぞれ嵌着するキーガイド筒、３３はシリンダー固定筒６の先端部６ｂに複数個の固着具３４を介して固定され、かつ、嵌合筒３１及びキーガイド筒の外周壁を全体的に包むカバー筒である。
【００２２】
（５）リング状固定板と筒状化粧体と付勢バネ
前述したように、本発明では、防犯用外筒体７及び筒状ヘッド部材８に、内周壁に防犯用外筒体７の被係合部２２に係合する係合部３７を有するリング状の固定板９を有し、かつ、前記防犯用外筒体７から工具の引き抜きにより単独で離脱する筒状化粧体１０が嵌着している。そして、リング状の固定板９と筒状ヘッド部材８との間には筒状化粧体１０を扉１の外壁面１ａ側に押圧する付勢バネ１１が設けられている。
【００２３】
リング状の固定板９は、図３及び図５で示すように比較的薄型の円形板であり、周方向に所定間隔を有して合計６個の貫通孔３６を有している。また、内周縁には周方向に所定間隔を有して合計３個の爪状係合突起３７が形成され、これらの爪状係合突起３７は、リング状固定板９を筒状化粧体１０に嵌め込んだ状態で押し込むと、前述した防犯用外筒体７の被係合部２２に楔状に係合する。
【００２４】
筒状化粧体１０は、顧客が指定する所望の円型、角型、ハート型等の形態に形成されている。本実施例では図２、図４で示すように肉厚の四角型の意匠である。図４を参照にして筒状化粧体１０を説明する。４１は内端面に形成された横向き凹所で、この凹所４１の環状内面にはリング状固定板９の６個の貫通孔３６に符合する固着具４２用のメネジ４３が形成されている。したがって、リング状固定板９は複数個の固着具４２を介して筒状化粧体１０の凹所４１内に固着される。筒状化粧体１０の凹所４１と連通する大径嵌合孔４４の内径寸法と及び筒状ヘッド部材８のカバー筒３３の外形寸法は、両部材３３、１０がた互いに適合するように微妙に設定されている。
【００２５】
付勢バネ１１は、防犯用外筒体７の傾斜状の外周壁２１に巻装されるコイルばねであることから、本実施例では一端部１１ａから他端部１１ｂにかけて次第に半径が大きくなっている。
【００２６】
（６）防犯用外筒体に対する筒状化粧体の装着
前述したように筒状化粧体１０の横向き凹所にはリング状固定板９が固着具４２を介して固定される。しかして、リング状固定板９と一体となるべき筒状化粧体１０を防犯用外筒体７に装着する場合には、筒状ヘッド部材８に筒状化粧体１０を嵌め込むようにして防犯用外筒体７に押し込めば良い。
【００２７】
本実施例の防犯用外筒体７は、内端部から先端部にかけて外周壁２１が傾斜面のすい台状に形成されていることから、防犯用外筒体の溝状の被係合部２２は「楔機能」を発揮し、リング状固定板９の３個の爪状係合部３７は防犯用外筒体の外周壁２１の各溝状の被係合部２２に押し込み係止される。
【００２８】
したがって、リング状固定板９さえ有すれば、顧客の嗜好する各種意匠の筒状化粧体１０に予めリング状固定板９を固着し、前記のように防犯用外筒体７に各種デザインが施された筒状化粧体１０を簡単に固定装着することができる。
【００２９】
ここで、各部品の組み合わせ構造について簡単に説明する。防犯用外筒体７は、内端部側が扉１の外壁面１ａの取り付け孔２に入り込むようにシリンダー固定筒６に外挿される。次に防犯用外筒体の被係合部２２と内周壁の係合部３７とが互いに楔状に係合するようにリング状固定板９を防犯用外筒体７に嵌着する。次に該防犯用外筒体７に付勢バネ１１を巻装する。次に該防犯用外筒体７が抜けないように筒状ヘッド部材８を前記シリンダー固定筒６の先端部６ｂに固定する。次に筒状ヘッド部材７及び防犯用外筒体７に嵌め込んだ状態で前記リング状固定板９に意匠的に選択可能な（顧客指定の）筒状化粧体１０を、複数個の固着具４２を介して固着する。
【００３０】
このように一体的に組み合わせられたシリンダー錠は、図１で示すように嵌合突起１７を介して錠箱３に固定される。
【００３１】
（７）工具による引き抜き
上記構成に於いて、今仮に工具Ｔとしてのプライヤーの挟み部ａ、ａで筒状化粧体１０を挟み、暴力的な破壊行為（筒状化粧体１０を防犯用外筒体７から引き抜く行為）をした場合には、図９及び図１０で示すようにリング状固定板９の爪状係合突起３７は筒状ヘッド部材８に当たるので折り曲がる。その結果、筒状化粧体１０は防犯用外筒体７から外れる。
【００３２】
そこで、泥棒がさらに露呈した防犯用外筒体７をシリンダー固定筒６から取外そうとして工具Ｔの挟み部ａ、ａで挟もうとしても、防犯用外筒体７は内端部から先端部にかけて外周壁が傾斜面のすい台状に形成されていることから、前記挟み部ａ、ａがその外周壁２１を掴みきれず、防犯用外筒体７をシリンダー固定筒６から容易にもぎ取ることができない。この時、図１１で示すように、防犯用外筒体７が回転可能である実施例の場合には、泥棒が工具Ｔで防犯用外筒体７を回そうとすると、仮止め用の止めピン２７は折れるものの、くるくると廻るので、より一層、防犯用外筒体７をシリンダー固定筒６から取り外すのが困難になる。
【実施例】
【００３３】
この実施例の欄では、第２実施例を説明する。なお、この第２実施例の説明に当たっては、重複説明を回避するために第1実施例の符号を便宜上援用する。第２実施例は、第１実施例のシリンダー固定筒６と防犯用外筒体７とを一つの部品にしたことである。
【００３４】
すなわち、第２実施例は、シリンダー５Ａと、このシリンダー５Ａに外嵌合すると共に、基端部６ａ側が錠箱３に取り付けられ、一方、先端部６ｂ側が扉１の外壁面１ａの取り付け孔２から突出するシリンダー固定筒６Ａと、このシリンダー固定筒６Ａに嵌合する筒状化粧体１０Ａとを備えたシリンダー錠の構造に於いて、前記シリンダー固定筒６Ａは、基端部６ａ側の傾斜状の外周壁２１Ａが前記外壁面１ａの取り付け孔２に入り込むように錠箱３に固定され、また該シリンダー固定筒６Ａの先端部６ｂに筒状ヘッド部材８Ａが固定され、また、シリンダー固定筒６Ａの被係合部２２Ａと内周壁の係合部３７Ａとが互いに楔状に係合するようにリング状固定板９Ａをシリンダー固定筒６Ａに嵌着し、また該シリンダー固定筒６Ａに付勢バネ１１を巻装し、前記筒状ヘッド部材８Ａ及びシリンダー固定筒６Ａに嵌め込んだ状態で前記リング状固定板９Ａに意匠的に選択可能な筒状化粧体１０Ａを固着した。このように構成すると、部品点数を少なくなると共に、前記第１実施例と同一の効果を得ることができる。
【産業上の利用可能性】
【００３５】
本発明は、建物の扉の錠前に利用される。
【図面の簡単な説明】
【００３６】
図１乃至図１１は本発明の第１実施例を示す各説明図。図１２乃至図１３は第１実施例の一部を設計変更した各説明図（第２実施例）。
【図１】第１実施例の実施形態を示す概略断面説明図。
【図２】扉の外壁面から見た正面図。
【図３】分解斜視図。
【図４】筒状化粧体とリング状固定板との関係を示す概略説明図。
【図５】リング状固定板の正面図。
【図６】筒状化粧体の平面図。
【図７】図６の７-7線断面図。
【図８】シリンダーとシリンダー固定筒との関係を示す斜視図。
【図９】工具で暴力的行為をされた場合の概略説明図。
【図１０】リング状固定板が折れ曲がった場合の説明図。
【図１１】防犯効果の説明図。
【図１２】本発明の第２実施例を示す概略説明図。
【図１３】第２実施例の要部の斜視図。
【符号の説明】
【００３７】
１…扉、１ａ…外壁面、２…取り付け孔、３…錠箱、５…シリンダー、６…シリンダー固定筒、７…防犯用外筒体、８…筒状ヘッド部材、９…リング状固定板、１０…筒状化粧体、１１…付勢バネ、Ｔ…工具、ａ…挟み部。
【図１】
2005180080.tif 000003
【図２】
2005180080.tif 000004
【図３】
2005180080.tif 000005
【図４】
2005180080.tif 000006
【図５】
2005180080.tif 000007
【図６】
2005180080.tif 000008
【図７】
2005180080.tif 000009
【図８】
2005180080.tif 000010
【図９】
2005180080.tif 000011
【図１０】
2005180080.tif 000012
【図１１】
2005180080.tif 000013
【図１２】
2005180080.tif 000014
【図１３】
2005180080.tif 000015